(57)【要約】【課題】  温湯タンクとクレーンとの一体化を図って、装置の設置や移設等を容易に行うことができるとともに、クレーンを用いた温湯タンクを中心とする種籾の消毒作業の効率化と省力化を図ることができる種籾の消毒装置を提供する。【解決手段】  種籾の温湯消毒装置１は、種籾を温湯に浸す温湯タンク２と、種籾を収容する多孔状の種籾容器３と、種籾容器３を吊り下げて昇降および移動させるクレーン４とで構成されている。クレーン４は、温湯タンク２に併設されている。クレーン４は、温湯タンク２に取り付けた支柱６と、支柱６を中心に旋回するジブ７を有している。ジブ７にはその長手方向に移動自在にホイスト８が装備されている。クレーン４は、温湯タンク２の背部側の一側端側に併設されている。【選択図】        図１
2006081426.tif 000002
【特許請求の範囲】
【請求項１】
種籾を温湯に浸して病原菌を死滅ないし不活化する種籾の温湯消毒装置であって、種籾を温湯に浸す温湯タンクと、種籾を収容する多孔状の種籾容器と、種籾容器を吊り下げて昇降および移動させるクレーンとで構成され、上記クレーンは、温湯タンクに併設されていることを特徴とする種籾の温湯消毒装置。
【請求項２】
クレーンは、温湯タンクに取り付けた支柱とこの支柱を中心に旋回するジブを有しており、ジブにはその長手方向に移動自在にホイストが装備されていることを特徴とする請求項１記載の種籾の温湯消毒装置。
【請求項３】
クレーンは、温湯タンクの背部側の左右いずれか一側端側に併設されていることを特徴とする請求項１または２記載の種籾の温湯消毒装置。
【請求項４】
温湯タンクのクレーンを併設した一側端側に、種籾容器を載せる作業台を配置することを特徴とする請求項３記載の温湯消毒装置。
【請求項５】
種籾容器を載せる作業台の一側に、さらに温湯消毒後の種籾を冷却する冷水タンクと水切り作業台を順に配置することを特徴とする請求項４記載の種籾の温湯消毒装置。
【発明の詳細な説明】
【技術分野】
【０００１】
本発明は、種籾を温湯に浸して種籾の表面に付着しまたは籾殻と果皮との間に潜む病原菌（いもち病、ばか苗病、苗立枯細菌病、ごま葉枯病、褐条病、もみ枯細菌病など）を死滅ないしは不活化する種籾の温湯消毒装置に関するものである。
【背景技術】
【０００２】
種籾を所定温度の温湯に所定時間浸すことにより、種籾の表面に付着または籾殻と果皮との間に潜む病原菌を死滅ないしは不活化（以下、消毒という）する装置としては、特開２０００−３１６３２１公報または特開２０００−３４２０１８公報に記載されているものが知られている。また、種籾を収容した種籾容器を自走クレーンで吊り下げて温湯タンクに出し入れする種籾の温湯消毒装置は、特開平１１−３１８１１８号公報または特願２００３−２３５３０８公報に記載されている。さらにまた、支柱を中心にして滅菌用高温水槽、冷却用低温水槽、被処理種子の供給部、および処理済み種子の取り出し部を円周上に配置し、上記支柱に放射状に支持された５本のアームのそれぞれに被処理種子のバケットを吊り下げるようにした芋もの野菜種子の滅菌装置は、特開平８−９７１４号公報に記載されている。
【特許文献１】特開２０００−３１６３２１公報
【特許文献２】特開２０００−３４２０１８公報
【特許文献３】特開平１１−３１８１１８号公報
【特許文献４】特願２００３−２３５３０８公報
【特許文献５】特開平８−９７１４号公報
【発明の開示】
【発明が解決しようとする課題】
【０００３】
前掲の特開２０００−３１６３２１号公報または特開２０００−３４２０１８号公報に記載されている種籾の温湯消毒装置においては、網袋に詰めた種籾を種籾容器に入れて、温湯タンクの温湯に所定時間浸漬したうえ、種籾容器を引き上げる作業を繰り返すので、作業者は温湯タンクの前縁に立って中腰の姿勢で重い種籾容器を上げ下げしなければならず、作業がきつく腰を痛める虞がある。
【０００４】
そこで、前掲の特開平１１−３１８１１８号公報または特願２００３−２３５３０８公報が紹介するように、温湯タンクや冷却槽などを配置した空間を跨ぐように自走クレーンを設備して、温湯タンクや冷却槽に対する種籾容器の上げ下げや吊り上げた種籾容器の移動作業などを容易に行うことができるように優れた提案がなされているが、これらの自走クレーンは、作業場に四脚となる支柱を構築するか、あるいは建屋の天井や梁を利用してクレーンの桁構造を構築しているところから、自走クレーン自体が大掛かりになるばかりか、自走クレーンが構築物のため温湯タンクとの一体化が図れず移設を要する場合であってもそれを妨げる要因となっている。
【０００５】
一方、前掲の特開平８−９７１４号公報が紹介する装置では、滅菌用高温水槽、冷却用低温水槽、被処理種子の供給部、および処理済み種子の取り出し部を支柱を中心にして円周上に配置しなければならず、配置上の制約が大きいばかりか、アームの昇降間隔（距離）にも制約があるので、実用性に乏しいものである。
【０００６】
本発明は、前述のような従来のものの問題点を解消しようとするものであって、種籾を温湯に浸す温湯タンクに、種籾容器を吊り下げて昇降および移動させるクレーンを併設することにより、温湯タンクとクレーンとの一体化を図って、装置の設置や移設等を容易に行うことができるとともに、クレーンに装備したホイストの吊り上げ作業範囲が常に温湯タンク上およびその隣接位置にあるようにして、クレーンを用いた温湯タンクを中心とする種籾の消毒作業の効率化と省力化を図ることができる種籾の消毒装置を提供することを目的とするものである。
【課題を解決するための手段】
【０００７】
上記目的を達成するため、本発明は次の種籾の温湯消毒装置を提供する。すなわち、請求項１に係るものは、種籾を温湯に浸して病原菌を死滅ないし不活化する種籾の温湯消毒装置であって、種籾を温湯に浸す温湯タンクと、種籾を収容する多孔状の種籾容器と、種籾容器を吊り下げて昇降および移動させるクレーンとで構成され、上記クレーンは、温湯タンクに併設されていることを特徴とする種籾の温湯消毒装置である。
【０００８】
また、請求項２に係るものは、請求項１記載の種籾の温湯消毒装置において、クレーンは、温湯タンクに取り付けた支柱とこの支柱を中心に旋回するジブを有しており、ジブにはその長手方向に移動自在にホイストが装備されていることを特徴とするものである。
【０００９】
請求項３に係るものは、請求項１または２記載の種籾の温湯消毒装置において、クレーンは、温湯タンクの背部側の左右いずれか一側端側に併設されていることを特徴とするものである。
【００１０】
請求項４に係るものは、請求項３記載の温湯消毒装置において、温湯タンクのクレーンを併設した一側端側に、種籾容器を載せる作業台を配置することを特徴とするものである。
【００１１】
そして、請求項５に係るものは、請求項４記載の種籾の温湯消毒装置において、種籾容器を載せる作業台の一側に、さらに温湯消毒後の種籾を冷却する冷水タンクと水切り作業台を順に配置することを特徴とするものである。
【発明の効果】
【００１２】
本発明によれば、種籾を温湯に浸す温湯タンクに、種籾容器を吊り下げて昇降および移動させるクレーンを併設することにより、温湯タンクとクレーンとの一体化を図って、装置の設置や移設等を容易に行うことができるとともに、クレーンに装備したホイストの吊り上げ作業範囲が常に温湯タンク上およびその隣接位置にあるようにして、クレーンを用いた温湯タンクを中心とする種籾の消毒作業の効率化と省力化を図ることができるものである。
【発明を実施するための最良の形態】
【００１３】
図１は本発明の一実施の形態に係る種籾の温湯消毒装置の斜視図、図２は同上正面図、図３は同上平面図である。また、図４は本発明の他の実施の形態に係る種籾の温湯消毒装置の正面図、図５は同上平面図、図６は本発明のさらに他の実施の形態に係る種籾の温湯消毒装置の正面図、図７は同上平面図である。
【００１４】
図１ないし図３において、１は種籾の温湯消毒装置である。この種籾の温湯消毒装置１は、温湯タンク２と、種籾を収容する多孔状の種籾容器３と、種籾容器３を吊り下げて昇降および移動させるクレーン４とで構成されている。そして、このクレーン４は、温湯タンク２の背部側の一側端に併設されている。なお、クレーン４は、温湯タンク２の他側端に併設してもよい。
【００１５】
上記クレーン４は、温湯タンク２に取り付け部材５により取り付けた支柱６と、この支柱６を中心に旋回するジブ（アーム）７を有しており、ジブ７にはその長手方向に移動自在にホイスト８が装備されている。９は吊りフック、１０は吊りチェーンである。ホイスト８は吊りフック９を昇降させるためのモータ１１を備えているものである。
【００１６】
クレーン４のジブ７は、支柱６の上部に旋回構造部１２を介して取り付けられており、旋回構造部１２はジブ７の旋回位置決めのためのクリック構造１３を有している。図示の実施の形態では、クレーン４の支柱６の姿勢を安定させるため後方および側方に張り出した足部１４を有しており、その足部１４には高さ調節部材１５を備えている。
【００１７】
ホイスト８はジブ７の長手方向に移動自在であり、ホイスト８のこの移動とジブ７の支柱６を中心とする旋回とにより、ホイスト８による吊り上げ作業範囲は、温湯タンク２上部ほぼ全域そのクレーン４を設けた側の隣接する位置にわたっている。
【００１８】
温湯タンク２はその背部側中央に給湯機１６を備えている。温湯タンク２内には、多孔状のスノコ１７が底面との間に一定の高さを成すように配置されている。温湯タンク２内には、温湯噴き上げ部１８を設けてあって、この温湯噴き上げ部１８には上記給湯機１６にから所定温度の温湯が供給され、温湯タンク２内に温湯が噴き上げられるようになっている。種籾を入れた種籾容器３は温湯噴き上げ部１８上に載置して、種籾に噴き上げる温湯を均等に浴びせて温湯消毒を行うものである。
【００１９】
種籾の温湯消毒を行うにあたっては、温湯タンク２に張った水または温湯を、温湯機１６により所定温度を保つように温湯温度を制御する。消毒する種籾は網袋に詰めるかまたは直に種籾容器３に入れ、種籾容器３の吊り手１９をクレーン４の吊りフック９に吊り掛け、ホイスト８の操作により種籾容器３を温湯噴き上げ部１８上に位置させて吊り降ろし、種籾容器３に入れた種籾を温湯に浸漬するとともに噴き上げる温湯を浴びせて温湯消毒をする。なお、その温湯の温度は６０℃、種籾を温湯に浸浸して噴き上げる温湯を浴びせる時間は１０分間程度である。
【００２０】
このようにして、温湯消毒の所定時間が経過したならば、遅滞なくクレーン４の吊りフック９を種籾容器３の吊り手１９に再び吊り掛け、ホイスト８を操作して温湯タンク２から種籾容器３を吊り上げて温湯端２外の位置に移動させ、その種籾は速やかに冷水により冷却する。種籾容器３には手提げのための取手２０を設けてある。
【００２１】
本発明に係る種籾の温湯消毒装置１においては、温湯タンク２に併設したクレーン４の支柱６が温湯タンク２に取り付け部材５により取り付けられており、使用時には温湯タンク２に略満杯に張り込まれた温湯の重量が加わった状態でクレーン４が支えられ、使用時におけるクレーン４の高い安定性と安全性が確保される。しかし、温湯タンク２に温湯（水）を張り込んでいない状態では、温湯タンク２は軽く、クレーン４と一体として容易に移動や搬送ができ、保守点検等の作業も容易である。
【００２２】
図４および図５に示す実施の形態のように、温湯タンク２のクレーン４を併設した一側端側に、種籾容器３を載せる作業台２１を配置することにより、温湯タンク２から吊り上げた種籾容器３を作業台２１に上に移載することができる。そして、作業台２１を水切り構造のものとすることにより種籾容器３内の種籾の水切りができるとともに次の工程への移行作業を円滑にできるものとなる。図４および図５に示す実施の形態においては、クレーン４のホイスト８による吊り上げ作業範囲は、温湯タンク２上から作業台２１上にまたがっているので、種籾容器３の温湯タンク２から作業台２１への移動をクレーン４によって容易に行うことができる。
【００２３】
一方、図６および図７は、図４および図５に示した実施の形態において、種籾容器を載せる作業台２１の一側に、さらに温湯消毒後の種籾を冷却する冷水タンク２２と水切り作業台２３を順に配置した構成をさらに他の実施の形態として例示している。この実施の形態によれば、温湯タンク２で温湯消毒をした種籾は、種籾容器３ごと作業台２１で水切り、続いて冷水タンク２２に浸漬する冷却、そして作業台２３による水切りの一連の作業を滞りなく行うことができる。なお、冷水タンク２２と作業台２３との中間位置に、クレーン４を増設することも可能である（図示せず）。
【図面の簡単な説明】
【００２４】
【図１】本発明の一実施の形態に係る種籾の温湯消毒装置の斜視図である。
【図２】同上正面図である。
【図３】同上平面図である。
【図４】本発明の他の実施の形態に係る種籾の温湯消毒装置の正面図である。
【図５】同上平面図である。
【図６】本発明のさらに他の実施の形態に係る種籾の温湯消毒装置の正面図である。
【図７】同上平面図である。
【符号の説明】
【００２５】
１  種籾の温湯消毒装置
２  温湯タンク
３  種籾容器
４  クレーン
５  取り付け部材
６  支柱
７  ジブ
８  ホイスト
９  吊りフック
１０  吊りチェーン
１１  モータ
１２  旋回構造部
１３  クリック構造
１４  足部
１５  高さ調節部材
１６  給湯機
１７  スノコ
１８  温湯噴き上げ部
１９  吊り手
２０  取手
２１  作業台
２２  冷水タンク
２３  作業台
【図１】
2006081426.tif 000003
【図２】
2006081426.tif 000004
【図３】
2006081426.tif 000005
【図４】
2006081426.tif 000006
【図５】
2006081426.tif 000007
【図６】
2006081426.tif 000008
【図７】
2006081426.tif 000009